(57)【要約】【課題】扁平チューブとヘッダ管とのろう付け接合に際し、過剰ろうが回り込んでチューブに穴詰まりが生じるのを効果的に防止する。【解決手段】アルミニウム製熱交換器に関し、冷媒を通じる扁平チューブの端末部を冷媒の折り返し供給の通路を形成するヘッダ管の取付穴に挿入してろう付が行われる接合構造において、前記扁平チューブ端末部の少なくとも幅方向両端部の外周面と前記ヘッダ管の成形加工された管内壁との間に、０．０５ｍｍ以上２ｍｍ以下の隙間を確保する。ろう付け時にろうが回り込みやすい扁平チューブの幅方向両端部で内側へのろうの流れを上記隙間で抑制でき、過剰なろうによって扁平チューブの冷媒通路穴を詰まらせることなく、小型高性能の熱交換器を得ることを可能にする。【選択図】図２
2009168350.tif 000002
【特許請求の範囲】
【請求項１】
アルミニウムあるいはアルミニウム合金をろう付して組立製造されるアルミニウム製熱交換器に関し、冷媒を通じる扁平チューブの端末部を冷媒の折り返し供給の通路を形成するヘッダ管の取付穴に挿入してろう付が行われる接合構造において、前記扁平チューブ端末部の少なくとも幅方向両端部の外周面と前記ヘッダ管の成形加工された管内壁との間に、０．０５ｍｍ以上２ｍｍ以下の隙間を確保することを特徴とする、アルミニウム製熱交換器におけるチューブとヘッダ管との接合構造。
【請求項２】
前記扁平チューブの幅方向両端部と成形加工された管内壁との隙間は、該扁平チューブの幅方向の内側に向けて凹部形状を付与することにより確保されていることを特徴とする請求項１記載のアルミニウム製熱交換器におけるチューブとヘッダ管との接合構造。
【請求項３】
前記チューブ表面の一部あるいは全てに、ろうを形成するＳｉ粉末及びろう付用フッ化物系フラックスをアクリル系バインダで塗料化した塗料による塗膜が形成されていることを特徴とする請求項１または２に記載のアルミニウム製熱交換器におけるチューブとヘッダ管との接合構造。
【請求項４】
前記ヘッダ管が、Ａｌ−Ｓｉ系ろう合金をヘッダ管の外側にのみ貼り合せたブレージングシートで構成されていることを特徴とする請求項１〜３のいずれかに記載のアルミニウム製熱交換器におけるチューブとヘッダ管との接合構造。
【請求項５】
前記ヘッダ管は、ヘッダ管の接合に用いるろう材として、粉末のＳｉあるいはＡｌ−Ｓｉろうを含むろう付用塗膜が外側にのみ塗布されていることを特徴とする請求項１〜３のいずれかに記載のアルミニウム製熱交換器におけるチューブとヘッダ管との接合構造。
【発明の詳細な説明】
【技術分野】
【０００１】
この発明は、アルミニウムあるいはアルミニウム合金をろう付して組立製造されるアルミニウム製熱交換器における、冷媒を通じるチューブの端末部と冷媒の折り返し供給の通路を形成するヘッダ管との接合構造に関するものである。
【背景技術】
【０００２】
自動車に用いられるアルミニウム製熱交換器は主にろう付にて組立てられる。断面を波型にコルゲート加工されたフィン材と冷媒を通じるチューブ材とを組付け、一方さらに、冷媒を通じるチューブ材に関しては、その中を通過した冷媒を折り返して別の段にあるチューブに供給するためのタンクを形成するヘッダ管との間で、チューブ端末をヘッダ管の取付穴に差し込んで組付けてジグで固定する。その後、露点・酸素濃度など所定の環境が整ったろう付炉にて、ろう付温度まで加熱処理して熱交換器を組立てる（例えば特許文献１参照）。
【０００３】
熱交換器のチューブ／ヘッダ管の継ぎ手部の構造は、上記のように、ヘッダ管の側面に細長いスロット穴を開けてそこにチューブを差し込む形式が多い。ヘッダ管構造は、ブレージングシートを管形状に成形した形式や、押出形材をそのまま使う形式などである。熱交換器としては、この差し込んだチューブとヘッダ管の間にろうによるフィレットを形成して、チューブ／ヘッダ管を強固に固定し且つ冷媒の漏れがない継ぎ手を得なければならない。ヘッダ管の中にはブレージングシートを円周方向で長手方向に沿って継ぎ合わせて管をなす形式があり、この長い継ぎ手のためにヘッダ管内側に多量のろうクラッド層を有する場合もある。
【特許文献１】特開２００３−２００２６０号公報
【発明の開示】
【発明が解決しようとする課題】
【０００４】
しかし、上記の継ぎ手を形成するためのろうは、場合によっては過剰に流動し、ヘッダ管内部に少し突き出たチューブの端末部に到達して冷媒を通じるための穴を詰まらせることもある。
【０００５】
フィン、チューブ及びヘッダ管とで組み立てられたアルミニウム合金製熱交換器は、その要求性能との整合性を確認するため、一部の製品を抽出して内部に冷媒を充填し、所定の装置にセットして熱交換性能を測定する。しかし、上記のようにチューブとヘッダ管の継ぎ手の部分で過剰なろうがチューブの穴を詰まらせたものでは、冷媒の流れが損なわれて所定の熱交換性能を得られないことがある。
【０００６】
上記、特許文献１では、扁平チューブの管端のろう材層をはがし、この管端をヘッダ管の取付穴に挿入するとともに、剥がしたろう材をチューブとヘッダ管との接合構造近傍に存在させた状態でろう付することで、上記ろうの流れ込みを防止する手段が講じられている。しかし、この方法では、ろう材層を適切に剥がすことと、剥がしたろう材を接合構造近傍に存在させることが必要になり、作業に困難性を伴うという問題がある。
【０００７】
このため、一般には、前記穴の詰まりを予め見込んだ過大な寸法の熱交換器の設計を余儀なくされるのが常である。
【０００８】
本発明は、上記事情を背景としてなされたものであり、扁平チューブとヘッダ管とのろう付接合に際し、ろうによるチューブの穴詰まりが効果的に防止される、アルミニウム製熱交換器におけるチューブとヘッダ管との接合構造を提供することを目的とする。
【課題を解決するための手段】
【０００９】
本発明者らは、上記のチューブ冷媒通路穴のろうによる詰まりを防止し、チューブ端末とヘッダ管との位置寸法及びその形状に関して鋭意思考・調査研究を行なった。また、粉末ろうとろう付フラックスをバインダでアルミニウム材表面に塗膜化して、従来のブレージングシート（ろうクラッド材）を用いずに熱交換器を製造するろう付プロセスの開発が近年進んでいるが、それに適用して優れた上記効果を得られる手法も鋭意研究を重ねた。その鋭意研究を経て、本発明を完成するに至ったものである。
【００１０】
すなわち、本発明のアルミニウム製熱交換器におけるチューブとヘッダ管との接合構造のうち、第１の本発明は、アルミニウムあるいはアルミニウム合金をろう付して組立製造されるアルミニウム製熱交換器に関し、冷媒を通じる扁平チューブの端末部を冷媒の折り返し供給の通路を形成するヘッダ管の取付穴に挿入してろう付が行われる接合構造において、前記扁平チューブ端末部の少なくとも幅方向両端部の外周面と前記ヘッダ管の成形加工された管内壁との間に、０．０５ｍｍ以上２ｍｍ以下の隙間を確保することを特徴とする。
【００１１】
第２の本発明のアルミニウム製熱交換器におけるチューブとヘッダ管との接合構造は、前記第１の本発明において、前記扁平チューブの幅方向両端部と成形加工された管内壁との隙間は、該扁平チューブの幅方向の内側に向けて凹部形状を付与することにより確保されていることを特徴とする。
該凹部形状は、例えば前記幅方向両端部の外周面の一部に変形あるいは切削除去を行うことで付与することができる。
【００１２】
第３の本発明のアルミニウム製熱交換器におけるチューブとヘッダ管との接合構造は、前記第１または第２の本発明において、前記チューブ表面の一部あるいは全てに、ろうを形成するＳｉ粉末及びろう付用フッ化物系フラックスをアクリル系バインダで塗料化した塗料による塗膜が形成されていることを特徴とする。
【００１３】
第４の本発明のアルミニウム製熱交換器におけるチューブとヘッダ管との接合構造は、前記第１〜第３の本発明のいずれかにおいて、前記ヘッダ管が、Ａｌ−Ｓｉ系ろう合金をヘッダ管の外側にのみ貼り合せたブレージングシートで構成されていることを特徴とする。
【００１４】
第５の本発明のアルミニウム製熱交換器におけるチューブとヘッダ管との接合構造は、前記第１〜第３の本発明のいずれかにおいて、前記ヘッダ管は、ヘッダ管の接合に用いるろう材として、粉末のＳｉあるいはＡｌ−Ｓｉろうを含むろう付用塗膜が外側にのみ塗布されていることを特徴とする。
【００１５】
本発明では、扁平チューブの穴詰まりは、扁平チューブの幅方向両端部へのろうの周り込みが大きく影響しているという知見に基づいてなされたものであり、扁平チューブの幅方向両端部の外周面と、ヘッダ管の成形加工された管内壁との隙間に着目し、これを適正な値に設定することで、扁平チューブの穴のろう詰まりを阻止しようとするものである。
【００１６】
（１）チューブ端末部の幅方向両端部外周面とヘッダ管の成形加工された管内壁との隙間
上記隙間が０．０５ｍｍ未満であると、ろうがチューブ端末とヘッダ管との間にブリッジを形成しヘッダ管内にある過剰なろうが容易にチューブ端末の穴に流れ込んで穴を詰まらせる。一方、２ｍｍ超えると、ろうの流れ込みは防止できるが、ヘッダ管内の空間確保が困難となり必要以上にヘッダ管を大きくせねばならず、実用に供することができない。また、変形や切削除去によって凹部形状を付与して隙間を得る場合、加工量が大きくなってヘッダ管へのチューブ挿入性を阻害したり、加工によって潰される穴の数が多くなり却って熱交換性能を低下させる。このため、上記隙間を０．０５〜２ｍｍに限定している。なお、本発明は、チューブ端末部の幅方向両端部外周面とヘッダ管の成形加工された管内壁との間に隙間が確保されていることが必要であり、チューブ端末部の平面部とヘッダ管の成形加工された管内壁との間に隙間を有し、上記幅方向両端部外周面とヘッダ管の成形加工された管内壁との間には適正な隙間が確保されていないものでは、上記効果を得ることはできない。
【００１７】
（２）上記ろう詰まり防止は、粉末ろう＋フラックス塗布ろう付プロセスにおいて、より顕著にその効果を発揮できることを示している
【００１８】
（３）クラッド材（ブレージングシート）をヘッダ管に用いる場合、ヘッダ管内側のろうを排除し、外側のろうだけでろう付することで、チューブ端末へのろう流れ込みを防止できる。内側にろうが貼り合わせてあると、過剰なろうがチューブ端末へ流れてチューブの穴詰まりを招く。
【００１９】
（４）ヘッダ管の表面に粉末ろう＋フラックス塗布ろう付する場合、その塗料をヘッダ管外側にのみ塗布して、ヘッダ管内側への過剰なろうの流れを抑制できる。内側にろう塗料が塗ってあると、過剰なろうがチューブ端末へ流れ、チューブの穴詰まりを招く。
【発明の効果】
【００２０】
以上説明したように、本発明のアルミニウム製熱交換器におけるチューブとヘッダ管との接合構造によれば、アルミニウムあるいはアルミニウム合金をろう付して組立製造されるアルミニウム製熱交換器に関し、冷媒を通じる扁平チューブの端末部を冷媒の折り返し供給の通路を形成するヘッダ管の取付穴に挿入してろう付が行われる接合構造において、前記扁平チューブ端末部の少なくとも幅方向両端部の外周面と前記ヘッダ管の成形加工された管内壁との間に、０．０５ｍｍ以上２ｍｍ以下の隙間を確保するので、ろう付時にろうが回り込みやすい扁平チューブの幅方向両端部で内側へのろうの流れを抑制でき、よって、過剰なろうによって扁平チューブの冷媒通路穴を詰まらせることなく、ひいては小型高性能の熱交換器を得ることが可能になる。
【発明を実施するための最良の形態】
【００２１】
（実施形態１）
以下に、本発明の一実施形態を図１、２に基づいて説明する。
アルミニウムまたはアルミニウム合金製からなる扁平チューブ２は、幅方向において複数の冷媒通路穴３…３が並列されいる。ヘッダ管５は断面略半円状のアルミニウムまたはアルミニウム合金製の部材を組み合わせて筒状に接合して構成されており、筒面には前記扁平チューブ２が多段に挿入される取付穴６が多段に形成されている。このとき、成形加工された管の内壁５ａと扁平チューブ２の幅方向端部との間には図１、２に示すように、扁平チューブ２の外形形状に対し、０．０５〜２ｍｍの隙間Ｇ１が確保される形状に形成されている。また、ヘッダ管５に取り付けられた扁平チューブ２…２間に配置されて扁平チューブ２に接合されるアルミニウムまたはアルミニウム合金製からなるフィン７は、波形に形成されている。
【００２２】
上記各部材の組み合わせに際しては、前記扁平チューブ２の表面に、ろうを形成するＳｉ粉末及びろう付用フッ化物系フラックスをアクリル系バインダで塗料化した塗料による塗膜を形成する。該塗料の成分比、塗膜厚さ等は本発明としては特に限定をされるものではなく、適宜選定することができる。また、ヘッダ管５は、Ａｌ−Ｓｉ系ろう合金を外側にのみ貼り合せたブレージングシートで構成するか、粉末のＳｉあるいはＡｌ−Ｓｉろうを含むろう付用塗膜を外側にのみ塗布しておく。
【００２３】
上記ヘッダ管５の各取付穴６にそれぞれ前記扁平チューブ２を挿入し、扁平チューブ２、２間にはフィン７を配置する。この組み立て体には、扁平チューブ２の幅方向両端部を外側から抑える抑え片１１、１１を有し、これら抑え片１１、１１の一端部が連結片１２で連結された抑え治具１０によって固定する。また、抑え治具１０は、扁平チューブ２の長手方向に沿って前記ヘッダ管５の外側面に当接する位置決め片１２を有している。この抑え治具１０を、扁平チューブ２の長手方向における所定位置に固定することで、位置決め片１２によって多数の扁平チューブ２がヘッダ管５に対し適正位置に位置決めされる。これによりヘッダ管５と扁平チューブ２とを隙間の存在に拘わらず、扁平チューブ２とヘッダ管５とを適正な位置関係に置くことができる。
【００２４】
上記組み立て体をろう付加熱すると、扁平チューブ２とヘッダ管５とは、扁平チューブ２表面に設けた塗膜とヘッダ管５に設けたろう材層または塗膜によってろうが生成され、該ろうによって扁平チューブ２の端末部とヘッダ管５の取付穴６周辺との間に適度なフィレットが形成されて隙間が残ることなく両者が良好に接合され、扁平チューブ２とフィン７も上記塗膜によるろうによって良好に接続される。上記ろう付では、扁平チューブ２の外周面とヘッダ管５の成形加工された管の内壁５ａとの間に適度な大きさで隙間が形成されているので、内側にろうが回り込んで扁平チューブ２の冷媒通路穴３を塞ぐことはなく、また、上記隙間は確実にろうで塞がれる。
【００２５】
（実施形態２）
上記実施形態では、扁平チューブの外周形状よりもヘッダ管の成形加工された管の内壁５ａのサイズを大きくすることで、両者間に隙間を確保している。しかし、このような隙間を有すると、上記した位置決め機能を有する抑え治具の使用などが必要になり、作業負担が増大する。この実施形態は、この作業負担の増大を回避するためのものである。
この実施形態２を図３に基づいて説明する。
【００２６】
アルミニウムまたはアルミニウム合金製からなる扁平チューブ２０は、上記実施形態と同様に幅方向において複数の冷媒通路穴３…３が並列されており、幅方向両端部の外周面２１の一部に幅方向内側に向けた凹部２１ａがＧ２の深さ、Ｇ４の長さで形成されている。該凹部２１ａは、変形や切削除去に形状付与することができる。ヘッダ管５に設けられた取付穴６は扁平チューブ２０の外形形状に略沿った形状に形成されている。
【００２７】
図３（ｂ）は、扁平チューブ２０をヘッダ管５に挿入した状態を示すものである。両者は、扁平チューブ２０の外形形状に合わせたヘッダ管５の取付穴６が形成されているので、扁平チューブ２０はヘッダ管５に対し、一定した位置に取り付けられる。また、扁平チューブ２０の幅方向両端部に設けられた凹部２１ａは、成形加工された管の内壁５ａとの間に０．０５〜２ｍｍの大きさの隙間Ｇ３を形成する。この隙間Ｇ３は、ろう付に際しに、過剰なろうが内側に回り込んで扁平チューブ２０の冷媒通路穴３を塞ぐのを防止する。また、この間に、扁平チューブ２０は、その外形形状と取付穴６との係止によって間隔Ｇ３が決定されており、位置決めのための治具を用いる必要はない。
【００２８】
（実施形態３）
また、扁平チューブの位置決めは、ヘッダ管側に位置決め機構を設けることで行うことも可能になる。この実施形態を図４に基づいて説明する。
ヘッダ管５０は、扁平チューブ２の取付穴５１の周囲に外側に伸張する抑え片５２、５２を有している。取付穴５１は、扁平チューブ２の幅方向両端部と０．０５〜２ｍｍの隙間Ｇ３が形成される大きさで形成されており、抑え片５２は、この隙間を維持して外側に伸張している。抑え片５２の先端側は、内側に回り込み、好ましくは該抑え片５２の厚さ以上の幅で扁平チューブ２の幅方向両端部に当接する形状とされている。
【００２９】
上記抑え片５２によって、扁平チューブ２を取付穴５１に挿入する際に、扁平チューブ２がその端部からＧ４の位置にある両側部段差で係止されることで、長手方向での位置決めがなされるとともに幅方向両端部の外周面と取付穴５１との間に適正な隙間Ｇ３が確保される。これをろう付する際には、上記隙間Ｇ３によって、過剰なろうの回り込みが防止されて扁平チューブ２の冷媒通路穴３が塞がれるのを防止する。
なお、上記実施形態１〜３の説明では、それぞれ扁平チューブの位置決めを行う機構を異なるものとして説明したが、これらを組み合わせるものも当然に本発明に含まれるものである。
【実施例１】
【００３０】
上記実施形態１、２に示すヘッダ管と扁平チューブ（穴数１６）を用意し、幅１６ｍｍの扁平チューブの表面にＳｉ粉末とろう付フラックス、バインダ、溶剤を混合した塗膜（Ｓｉ粉末換算で塗布量３ｇ／ｍ２）を塗布し、ヘッダ管には事前に外側のみろう（Ａｌ−Ｓｉ合金）材を貼り合せた材料を適用した。ヘッダ管の取り付け穴に扁平チューブを挿入することで両者を組み立てた。なお、扁平チューブの幅方向端部の外周面と前記ヘッダ管の成形加工された管内壁との隙間（実施形態に示す隙間Ｇ１、Ｇ３）が異なる試験材をそれぞれ用意した。組み立て体を、ろう付温度に加熱し、ヘッダ管にろう付された扁平チューブの穴塞がりをろう付後製品のヘッダを縦に切断し、切断断面の穴を視認により確認した。その結果を表１に示した。
【００３１】
表に示すように、本発明の範囲内の隙間を設定したものでは、穴塞がりが殆ど生じなかったが、隙間が過小であると、扁平チューブの全穴数のうち、両側にある穴で１０％を超える塞がりが認められた。穴塞がり率が大きくなると、熱交換器性能は大きく低下する。一方、十分な隙間が確保されれば、穴塞がりは発生しない。ただし、隙間が２ｍｍを超えて過大になると、ヘッダ管全体（熱交換器）の寸法を大きくする必要がある。ヘッダ管全体（熱交換器）の寸法を元のまま維持しようとすると、扁平チューブの穴の位置を幅方向の中央寄りに集めて配置（穴の間隔を詰める）したり、穴数を減らす必要があるが、穴の間隔を狭くすると押出加工性が極端に悪くなり、また穴数を減少させると熱交換性能が低下する。
【００３２】
【表１】
2009168350.tif 000003
【図面の簡単な説明】
【００３３】
【図１】本発明の一実施形態の接合構造を有する熱交換器を示す斜視図である。
【図２】同じく、扁平チューブと取付穴との隙間を示す図である。
【図３】本発明の他の実施形態における扁平チューブの形状を示す図である。
【図４】同じく、他の実施形態における扁平チューブとヘッダ管との取付状態を示す図である。
【符号の説明】
【００３４】
１    熱交換器
２    扁平チューブ
３    冷媒通路穴
５    ヘッダ管
５ａ  成形加工された管の内壁
６    取付穴
１０    抑え治具
２０    扁平チューブ
２１    外周面
２１ａ  凹部
５０    ヘッダ管
５１    取付穴
５２    抑え片
【図１】
2009168350.tif 000004
【図２】
2009168350.tif 000005
【図３】
2009168350.tif 000006
【図４】
2009168350.tif 000007